(57)【特許請求の範囲】
【請求項１】
一連の薬包帯を所定方向に搬送する搬送経路上に回転台を配設し、この回転台上にその回転中心を挟んで互いに対向して係止突起と巻取突起を設け、薬包帯の先端部を係止突起に引掛けた状態で前記回転台を回転させて薬包帯を巻取突起の外周面に当接させ、前記回転台の回転に伴って薬包帯を係止突起と巻取突起を周回する外周面に巻取るように構成した薬包帯巻取装置。
【請求項２】
所定方向に搬送される一連の薬包帯を巻き取る巻取装置と、巻き取る薬包帯を所定長で切断する切断装置と、切断された薬包帯を巻取状態で搬送する搬送手段とを備えた薬包帯巻取装置において、上記巻取装置を、搬送経路上に回転台を配設し、この回転台上にその回転中心を挟んで互いに対向して係止突起と巻取突起を設け、薬包帯の先端部を係止突起に引掛けた状態で前記回転台を回転させて薬包帯を巻取突起の外周面に当接させ、前記回転台の回転に伴って薬包帯を係止突起と巻取突起を周回する外周面に巻取るように構成した薬包帯巻取装置。
【請求項３】
前記搬送手段を、一対の挾持フィンガを有する搬送アームにより構成したことを特徴とする請求項２に記載の薬包帯巻取装置。
【請求項４】
前記係止突起と巻取突起とをそれぞれ一対のものとしたことを特徴とする請求項項１乃至３のいずれかに記載の薬包帯巻取装置。
【請求項５】
前記係止突起と巻取突起を上記回転台から出没自在に設けたことを特徴とする請求項１乃至４のいずれかに記載の薬包帯巻取装置。
【発明の詳細な説明】
【０００１】
【発明の属する技術分野】
この発明は、薬剤包装機で作成される一連の薬包帯を巻き取る薬包帯巻取装置に関する。
【０００２】
【従来の技術】
従来より、薬剤包装機で作成された一連の薬包帯は、患者分ごとに随時切断され結束されて、各患者に分配される。そして、このような作業は、通常薬包帯結束機により自動的に行なわれる。この薬包帯結束機は、図１１に示すように、薬剤包装機Ｗで作成された一連の薬包帯を朝昼夜の３つの包装袋Ｆ毎に順次切断するカッター２と、このカッター２で切断された各薬包帯Ｓを整列させた状態で各患者分ごとに積み上げる断面コ字形の整列用ガター１８と、この整列用ガター１８内に積み上げられた薬包帯ＳにバンドＢをかける結束装置６とからなる。
【０００３】
この薬包帯結束機１７は、図１１に示すように、整列用ガター１８がその内部に各患者分の薬包帯Ｓを収容した状態で側方へ移動し、その薬包帯Ｓを結束装置６の開口部１６に向けて押し出す。そして、押し出された薬包帯Ｓは、結束装置６の開口部１６内でバンドＢがかけられて結束された状態で収容箱１９内に投入される。このように薬包帯Ｓは、患者分ごとに結束されているので、病院にとっては各患者に配り易いし、患者にとっては朝昼夜の１日分ごとに形成された薬包帯Ｓの包装袋Ｆを順次開封すれば適切な処方の薬剤を服用できるので、便利である。
【０００４】
【発明が解決しようとする課題】
ところが、従来の薬包帯結束機１７で結束された薬包帯Ｓは、３包装袋Ｆ分を１組として互いに分離しているので、例えば老人などの判断力の弱い患者が、朝用と夜用をとり違えて服用したり、朝用ばかりを上から順次服用してしまう場合がある、という問題があった。
【０００５】
また、通常の患者にとっても、結束用のバンドＢを外すと重ねた薬包帯Ｓがばらけてしまうので、取扱いに不便であるという問題もあった。
【０００６】
この発明は、上記の問題に留意して薬包帯を服用する順序が間違い難くなるよう束ねて効果的に結束するために各患者用に薬包帯を巻取ることができる装置を提供することを課題とする。
【０００７】
【課題を解決するための手段】
この発明は、上記課題を解決するために、一連の薬包帯を所定方向に搬送する搬送経路上に回転台を配設し、この回転台上にその回転中心を挟んで互いに対向して係止突起と巻取突起を設け、薬包帯の先端部を係止突起に引掛けた状態で前記回転台を回転させて薬包帯を巻取突起の外周面に当接させ、前記回転台の回転に伴って薬包帯を係止突起と巻取突起を周回する外周面に巻取るように構成した薬包帯巻取装置としたのである。
【０００８】
上記課題を解決するもう一つの手段として、所定方向に搬送される一連の薬包帯を巻き取る巻取装置と、巻き取る薬包帯を所定長で切断する切断装置と、切断された薬包帯を巻取状態で搬送する搬送手段とを備えた薬包帯巻取装置において、上記巻取装置を、搬送経路上に回転台を配設し、この回転台上にその回転中心を挟んで互いに対向して係止突起と巻取突起を設け、薬包帯の先端部を係止突起に引掛けた状態で前記回転台を回転させて薬包帯を巻取突起の外周面に当接させ、前記回転台の回転に伴って薬包帯を係止突起と巻取突起を周回する外周面に巻取るように構成した薬包帯巻取装置とすることもできる。
【０００９】
上記発明に係る薬包帯巻取装置においては、薬包帯の先端部を係止突起に引掛けた状態で前記回転台を回転させると、その薬包帯が巻取突起の外周面に当接し、前記回転台の回転に伴って薬包帯を係止突起と巻取突起を周回する外周面に巻取ることができる。
【００１０】
第２の発明では、切断装置を備えているから、各患者毎に必要長さ分薬包帯を巻取った状態で切断し、巻取られた薬包帯をそのまま搬送手段で次の工程へ送ることができる。送り出された薬包帯にはバンドが掛けられて結束される。このような処理がされた薬包帯は、先端から１つずつ患者が切離せば、朝昼夕の薬包を誤って使用することが防止できる。
【００１１】
さらに、係止突起と巻取突起とを、回転台に対して出没自在にすると、薬包帯を巻取状態で回転台から外して搬送し易くなる。
【００１２】
【実施の形態】
以下、この発明の実施形態の薬包帯巻取装置及び薬包帯結束機を添付図面を参照して説明する。図１に示す薬包帯結束機１は、薬剤包装機Ｗから斜めに起立した状態で前方へ搬送される一連の薬包帯Ｓを所定長に切断するカッター２と、このカッター２からの薬包帯Ｓを斜めに起立した状態で前方へ送り出すフィーダ３と、このフィーダ３で送り出された薬包帯Ｓを順次巻き取る巻取装置４と、この巻取装置４で巻き取った薬包帯Ｓを両側から掴んで巻取状態のまま搬送する搬送アーム５と、この搬送アーム５で搬送された薬包帯ＳにバンドＢをかけて結束する結束装置６とを載置台７上に適宜設置してなる。
【００１３】
カッター２は、薬包帯Ｓが一患者分だけ通過したところで回転して薬包帯Ｓを患者分ごとに切断する。フィーダ３は、カッター２からの薬包帯Ｓを斜めに起立した状態で受けるレール台８と、このレール台８上の薬包帯Ｓを送り出すベルトコンベア９とからなる。
【００１４】
巻取装置４は、薬包帯Ｓの搬送経路上に配置されて載置台７と面一な円盤状の回転台１０と、この回転台１０の外周部であって、上記薬包帯Ｓの搬送経路上後方に立設された一対で円柱形状の係止突起１１と、この係止突起１１と回転台１０の中心を挟んで対向するよう回転台１０外周部の上記搬送経路上前方に立設された一対で円柱形状の巻取突起１２とからなる。
【００１５】
この巻取装置４は、図２乃至図５に示すように、載置台７上の一対のガイド突起１３間に挿通された薬包帯Ｓの先端部が、回転台１０上の係止突起１１間を通って所定量だけ前方へ突出したときに、回転台１０が載置台７内の駆動機構（図示せず）により回転すると、薬包帯Ｓの先端部が係止突起１１に引っ掛かるようになっている。そして、この巻取装置４は、薬包帯Ｓの先端部が係止突起１１に引っ掛かった状態で回転台１０がより回転すると、薬包帯Ｓが巻取突起１２の外周面に当接し、回転台１０が更に回転すると、薬包帯Ｓが巻取突起１２に当接した状態で係止突起１１の外周面に当接する。
【００１６】
このように、この巻取装置４においては、回転台１０が回転すると薬包帯Ｓが係止突起１１と巻取突起１２とに随時巻き取られることとなる。この後、薬包帯Ｓを所定長でカッター２により切断すると、図６に示すように、所要の薬包帯Ｓが巻き取られることとなる。
【００１７】
搬送アーム５は、図１に示すように、駆動ボックス１４内の駆動機構により間隔が広狭する一対の挾持フィンガー１５を備えており、アーム駆動機構（図示せず）により巻取装置４の回転台１０上に位置して、図７に示すように、挾持フィンガー１５で巻取状態の薬包帯Ｓを両側から挾む。このとき、巻取装置４の係止突起１１と巻取突起１２は、回転台１０に対して埋没して搬送アーム５が挾持フィンガー１５で掴んだ薬包帯Ｓを搬送し易くしている。
【００１８】
結束装置６は、図８に示すように、搬送アーム５で運ばれてきた巻取状態の薬包帯Ｓが通過可能な開口部１６が形成されており、この開口部１６内に位置する薬包帯Ｓに、図９に示すようにバンドＢをかける。この結束装置６は、図１０に示すように、所要の薬包帯Ｓの２カ所にバンドＢをかけてこの薬包帯Ｓを一連に巻き取られた状態で結束する。
【００１９】
このように、巻取装置４により巻き取られて結束装置６で結束された患者分ごとの薬包帯Ｓは、各薬剤を収容する包装袋Ｆが服用順に一連に並んでいるため、患者は薬包帯Ｓの先端から順次包装袋Ｆを開封して薬剤を服用するようになるので、薬剤の服用順序を間違えることがない。また、この薬包帯Ｓは、一連のまま結束されているため、バンドＢが外れてもばらけてしまうことがないので取扱いに便利である。
【００２０】
なお、この実施の形態では、薬包帯Ｓを横方向に起立状態で搬送するようにし、回転台１０を水平回転させるようにしたが、薬包帯Ｓを縦方向に搬送するようにし、回転台１０を垂直回転させるようにしてもよい。
【００２１】
【発明の効果】
この発明に係る薬包帯巻取装置は、以上のように構成されていることより、所要の薬包帯を一連に巻き取った状態で結束できるので、患者が薬剤の服用順序を間違えることがなく、患者の安全を確保するうえで非常に有効である。また、結束した後は薬包帯がバンドを外してもばらけないので、取扱いがし易く保管もし易い。
【図面の簡単な説明】
【図１】この発明の結束機を示す斜視図
【図２】この発明の巻取装置を示す斜視図
【図３】この発明の巻取装置を示す斜視図
【図４】この発明の巻取装置を示す斜視図
【図５】この発明の巻取装置を示す斜視図
【図６】この発明の巻取装置を示す斜視図
【図７】巻取装置と搬送アームを示す斜視図
【図８】結束装置への薬包帯の供給を示す斜視図
【図９】薬包帯の結束途中を示す斜視図
【図１０】結束された薬包帯の斜視図
【図１１】従来の結束機の斜視図
【符号の説明】
１、１７  薬包帯結束機
２  カッター
３  フィーダ
４  巻取装置
５  搬送アーム
６  結束装置
７  載置台
８  レール台
９  ベルトコンベア
１０  回転台
１１  係止突起
１２  巻取突起
１３  ガイド突起
１４  駆動ボックス
１５  挾持フィンガー
１６  開口部
１８  整列用ガター
１９  収容箱
Ｗ  薬剤包装機
Ｓ  薬包帯
Ｂ  バンド
Ｆ  包装袋
【図１】
0003598083.tif 000002
【図２】
0003598083.tif 000003
【図３】
0003598083.tif 000004
【図４】
0003598083.tif 000005
【図５】
0003598083.tif 000006
【図６】
0003598083.tif 000007
【図７】
0003598083.tif 000008
【図８】
0003598083.tif 000009
【図９】
0003598083.tif 000010
【図１０】
0003598083.tif 000011
【図１１】
0003598083.tif 000012